(57)【要約】    【課題】  容器の外径が異なっても対応することの出来る容器の倒れ防止具を提供する。    【解決手段】  湯呑み茶碗やコップなどの容器を置くための載置部と、載置部に置かれた容器の外周りを囲むための複数の囲み板部とが備えられ、囲み板部は載置部の周縁部に対して揺動可能に設けられると共に、この囲み板部には、囲み板部の先端部で画成される容器の挿入口の大きさを変更するための紐部材が備えられた。  【選択図】  図２
2005198855.tif 000002
【特許請求の範囲】
【請求項１】
容器を置くための載置部と、載置部に置かれた容器の外周りを囲むための複数の囲み板部とが備えられ、囲み板部は載置部の周縁部に対して揺動可能に設けられると共に、この囲み板部には、囲み板部の先端部で画成される容器の挿入口の大きさを変更するための挿入口変更手段が備えられていることを特徴とする容器の倒れ防止具。
【請求項２】
挿入口変更手段が紐部材から構成されていることを特徴とする請求項１に記載の容器の倒れ防止具。
【請求項３】
載置部は、この載置部が載せられる載せ面に吸着するようにしていることを特徴とする請求項１または２に記載の容器の倒れ防止具。
【発明の詳細な説明】
【技術分野】
【０００１】
本発明は、例えばテーブルに置いた湯呑み茶碗等の容器が不用意に転倒するのを防止するするための倒れ防止具に関する。
【背景技術】
【０００２】
例えば、湯呑み茶碗やコップなどの容器に入れたお茶やコーヒなどを飲んでいる時に、テーブルに置いた湯呑み茶碗やコップを不用意に倒してしまって、飲みかけのコーヒーやお茶をテーブルや床に飛散させることがある。
【０００３】
特に湯呑み茶碗は、テーブル上に載る部分が、お茶を入れる部分よりも一回り小さいことから、倒れ易いものである。
【０００４】
以上の不具合に対しては、湯呑み茶碗などの容器が挿入可能な収納部を備えた略円筒状の倒れ防止具が提案されている。（特許文献１参照）
【特許文献１】実用新案登録第３０７４７０７号 しかしながら以上の構造のものでは、容器の収納部の入口の大きさが固定されていることから、決められた大きさの容器にのみ対応するものであって、容器の外径が変わると利用することが出来ないものである。そのため以上の倒れ防止具では、容器の外径に応じて複数の倒れ防止具を用意しなればならない。
【発明の開示】
【発明が解決しようとする課題】
【０００５】
本発明は以上の実情に鑑みて開発したものであって、目的とするところは、容器の外径が異なっても対応することの出来る容器の倒れ防止具を提供することにある。
【課題を解決するための手段】
【０００６】
以上の目的を達成するため、請求項１に記載の発明は、容器を置くための載置部と、載置部に置かれた容器の外周りを囲むための複数の囲み板部とが備えられ、囲み板部は載置部の周縁部に対して揺動可能に設けられると共に、この囲み板部には、囲み板部の先端部で画成される容器の挿入口の大きさを変更するための挿入口変更手段が備えられていることを特徴とするものである。
【０００７】
請求項２に記載の発明は、請求項１に記載の挿入口変更手段が紐部材から構成されていることを特徴とするものである。
【０００８】
請求項３に記載の発明は、請求項１または２に記載の載置部は、この載置部が載せられる載せ面に吸着するようにしていることを特徴とするものである。
【発明の効果】
【０００９】
請求項１に記載の発明によれば、挿入口変更手段により、容器の挿入口を収容する容器の外径に応じて容器の挿入口の大きさを変更するだけで、大きさの異なる容器のいずれにも使用することが出来る。
【００１０】
請求項２に記載の発明によれば、請求項１に記載の発明の効果に加え、挿入口変更手段の構成が簡略とすることが出来る。
【００１１】
請求項３に記載の発明によれば、請求項１または２に記載の発明の効果に加え、載置部を載せ面に吸着させることで、倒れ防止具を載せ面に対して確実に保持させることが出来る。
【発明を実施するための最良の形態】
【００１２】
図１において符号１で概略的に示す倒れ防止具は、基本的には、コップや湯のみ茶碗などの飲料用容器Ｃを置くための載置部２と、載置部２に置かれた飲料用容器Ｃの外周を囲むための８枚の囲み板部３と、囲み板部３の先端部で画成される飲料用容器Ｃの挿入口１０の大きさを変更するための挿入口変更手段としての紐部材４とが備えられている。
【００１３】
図に示す実施形態では、載置部２及び囲み板部３は、可撓性を有する合成樹脂製の薄いパネルを打ち抜き成形により、図１に示すごとく一体に形成されているのであって、載置部２は、平面から見て円形に形成され、また８枚の囲み板部３は、コーナー部位を円弧状とした略長方形に形成されて、載置部２の周縁に等間隔に配置されている。
【００１４】
図に示す載置部２は、直径約９ｃｍとし、また囲み板部３は高さ約６ｃｍ、幅約３ｃｍとしている。
【００１５】
また載置部２と各囲み板部３との境界には、ライン状の薄肉ヒンジ５が形成され、この薄肉ヒンジ５を支点にして、各囲み板部３は載置部２に対して揺動可能であって、且つ常時は載置部２に対して展開する方向（図３において矢印Ｘ方向）に付勢するようにしている。
【００１６】
また各囲み板部３には、紐部材４を通すための左右一対の挿通孔３１が設けられている。
【００１７】
以上の構成からなる倒れ防止具１は、紐部材４を各囲み板部３の挿通孔３１に順次通して、紐部材４を介して各囲み板部３を連動連結した上で、紐部材４の両端部を絞り込んで、各囲み板部３を載置部２に対して起立する方向に揺動させて、これら各囲み板部３の先端部で画成される容器Ｃの挿入口１０の大きさが所望の大きさまで絞り込まれた段階で、紐部材４の両端部を結束するのである。
【００１８】
これにより、載置部２に対して展開方向に揺動しようとする各囲み板部３が紐部材４により拘束されて、図２に示すごとく各囲み板部３が載置部２に対して起立した姿勢が保たれ、載置部２と各囲み板部３とで容器Ｃの収容室Ｓが画成される。
【００１９】
斯くして、図３に概略的に示すように、以上の倒れ防止具１をテーブルＴ上の載せ面６０に置いた上で、所望の容器Ｃを挿入口１０から収容室Ｓに収容して、載置部２上に置くのであけばよく、これにより、容器Ｃの外回りが紐部材で連結された各囲み板部３で囲まれ、不用意に容器Ｃを不用意に手で引っ掛けてしまった場合でも囲み板部３で受け止められて、容器Ｃが倒れるのを防ぐのである。
【００２０】
ところで、図３に示す容器Ｃよりもその直径が小さな容器Ｃに用いる場合には、
結束している紐部材４の両端部を解いて、その両端部を更に絞り込んで、各囲み板部３を載置部２に対して図３に示す位置から図４に示す位置まで更に揺動させて、これら各囲み板部３の先端部で画成される容器Ｃの挿入口１０の大きさを所望の大きさまで絞り込んだ段階で、紐部材４の両端部を再度結束すればよく、
これにより、図４に示すように、直径の小さな容器Ｃに対応する挿入口１０を供えた倒れ防止具１に変更することが出来て、直径の小さな容器Ｃでもその倒れを確実に防止することが出来る。
【００２１】
尚、以上の構造の倒れ防止具では、載置部２の下面に滑り止めシートを貼り付けておくのが好ましい。
【００２２】
以上の実施形態では、載置部２及び囲み板部３を合成樹脂製の薄いパネルから形成したが、これに限定されるものではなく、例えば厚紙あるいは金属パネルから形成してもよい。
【００２３】
また以上の実施形態では、一体形成した載置部２と囲み板部３との境界部位に薄肉ヒンジ５を設けて、この薄肉ヒンジ５を支点にして、囲み板部３を載置部２に対して揺動可能としたが、これに限定されるものではなく、例えば図５及び図６に示すように、載置部２と囲み板部３とを別に形成すると共に、載置部２の周縁に断面略Ｕ字状に屈曲する突片２１を突設すると共に、囲み板部３の下端には、突片２１に引っ掛け可能な掛止孔３２を備えた掛止片３３を突設して、突片２１への掛止片３３の掛止により、囲み板部３を載置部２に対して展開乃至折り畳み方向に揺動可能に連結してもよい。
【００２４】
また以上の実施形態において、載置部２の下面に小さな吸盤を多数形成して、この吸盤を介して載置部２をテーブル６上の載せ面６０に吸着させるようにしてもよいし、
あるいは、載置部２を磁力により吸着可能な金属材料、例えば鉄板から形成する一方、テーブル６の載せ面６０にマグネットを埋設してこのマグネット上に載置部２を吸着させる、ラバーマグネット（ゴム磁石）から成るシートを敷いて、このシート上に載置部２を吸着させるようにしてもよいし、更には載置部２の下面にラバーマグネットからなるシートを貼り付けると共に、テーブル６の載せ面６０自体を例えば鉄板から形成するか、若しくは薄い鉄板を載せ面６０に置くなどして、テーブル６の載せ面６０に載置部２を磁力により吸着させるようにしても良い。
【００２５】
斯くして以上のごとく載置部２を載せ面６０に吸着させることで、倒れ防止具自体が載せ面に固定されて、容器Ｃの倒れをより一層確実に防止することが出来る。
【００２６】
また以上の実施形態では、挿入口変更手段として細い紐部材４を用いたが、これに限定されるものではなく、幅広のバンド状に形成された紐部材４を用いてもよいし、あるいは鎖を用いてもよい。
【００２７】
また以上の実施形態では、容器Ｃとして湯呑み茶碗やコップを例にして説明したが、これに限定されるものではなく、例えば花瓶であってもよい。
【図面の簡単な説明】
【００２８】
【図１】倒れ防止具を展開して示す平面図。
【図２】倒れ防止具の斜視図。
【図３】倒れ防止具の使用説明図。
【図４】倒れ防止具の使用説明図。
【図５】倒れ防止具の別の実施形態を示す要部の分解斜視図。
【図６】倒れ防止具の別の実施形態を示す要部の断面図。
【符号の説明】
【００２９】
１        倒れ防止具
２        載置部
３        囲み板部
４        紐部材（挿入口変更手段）
６０      載せ面
Ｃ        容器
【図１】
2005198855.tif 000003
【図２】
2005198855.tif 000004
【図３】
2005198855.tif 000005
【図４】
2005198855.tif 000006
【図５】
2005198855.tif 000007
【図６】
2005198855.tif 000008